(57)【要約】【課題】  充気式装置用起動装置の提供。【解決手段】  ケースにスチールボンベ、トリガ機構、及び釈放機構が設けられ、起動装置のトリガ動作の後、トリガ機構の回転蓋が回り並びにトリガ機構の打ち針及び針打ち棒が回転蓋に伴い移動し、且つ移動過程で打ち針が再度釈放機構と係合し、並びに回転蓋をケースに緊締させて起動装置を未トリガ状態に回復させ、ゆえにトリガ機構の改良により起動装置の重複使用の容易性を高めた。このほか、釈放機構がカム回転軸及び駆動モータを利用して制御を行ない、これにより使用上の便利性を増し、不注意から起動装置を駆動することによる危険の形成を防止する。【選択図】        図１
0003105796.tif 000002
【実用新案登録請求の範囲】
【請求項１】
スチールボンベに組付けられてスチールボンベ開口のシール口をトリガして内部ガスを釈放させるのに用いられる充気装置の起動装置であり、該起動装置は、ケース、トリガ機構、連設棒、釈放機構を具え、
該ケースの外縁にそれぞれ軸方向に平行に設置された第１固定端及び第２固定端があり、該第１固定端は上述のスチールボンベの開口に取付られ、且つ該ケース内部にそれぞれ軸方向に平行に設置された第１収容室、及び第２収容室が形成され、この第１収容室と第２収容室はそれぞれ第１固定端と第２固定端に対応し連通し、且つ第１収容室は軸方向の穿孔で第１固定端に連通し、第２収容室はその側縁に径方向に横向き穿孔が形成され、
該トリガ機構は打ち針、針打ち棒、圧縮バネ、及び回転蓋を具え、該打ち針は上述のケースの第１収容室内に収容され且つ該穿孔内にスライド自在に設けられ、該針打ち棒は上述のケースの第２収容室内にスライド自在に設けられ、該回転蓋は螺合方式で上述のケースの第２固定端に組付けられ、圧縮バネは該回転蓋内に収容され打ち針に前向きの衝撃弾力を提供し、また針打ち棒の中段環周に側方向凹溝が設けられて第２収容室の横向き穿孔に対応し、
該連設棒は中段がケースに枢設され、且つ連設棒の一端は針打ち棒の末端に当接し、もう一端は打ち針末端に当接し、
該釈放機構はケースに組付けられ、且つこの釈放機構はカム回転軸、駆動モータを具え、該カム回転軸は径方向に凹部が設けられ、このカム回転軸は第２収容室の横向き穿孔内に挿入され並びに針打ち棒の側方向凹溝に係合し、該駆動モータは該カム回転軸を駆動して回転させ、該凹部がこれにより該側方向凹溝に対応する時、カム回転軸と針打ち棒の係合が解除されて針打ち棒が釈放され、該針打ち棒が圧縮バネの提供する衝撃弾力を受けて連設棒を回転させ、連設棒の別端が打ち針に前向きの衝撃を形成させてスチールボンベの開口のシール口をトリガさせて内部ガスを釈放させることを特徴とする、充気装置の起動装置。
【請求項２】
請求項１記載の充気装置の起動装置において、駆動モータが高トルクモータとされたことを特徴とする、充気装置の起動装置。
【請求項３】
請求項１記載の充気装置の起動装置において、駆動モータにフレネル型速度センサにより起動信号が提供されることを特徴とする、充気装置の起動装置。
【考案の詳細な説明】
【技術分野】
【０００１】
本考案は一種の起動装置に係り、特に、オートバイ、自転車に乗る人のための安全気嚢防護ウエア、水上救命ウエア、スキーや乗馬用のスポーツ用外套、或いはその他の充気式人体安全保護装置の充気に用いられる充気装置の起動装置に関する。
【背景技術】
【０００２】
周知のスチールボンベ起動装置は、手動でピンを引き抜いてスチールボンベ内のガスを釈放する。しかし、周知の起動装置のピンは使用者の不注意から外れることがあり、非常に危険であった。このような周知の充気装置をオートバイの安全気嚢防護ウエアに応用する時は、ピンの一端が線で車体に繋がれ、その目的はドライバーが事故に遭遇して車外に弾き出されたり地面に倒れる時に、ピンが作用力を受けて引き抜かれスチールボンベ起動装置が起動される。ただしドライバーがピンを繋ぎ止める線を車体より外すのを忘れたまま車体から離れる時、誤ってトリガ機構が起動し使用上の危険を形成する。このほかこのような周知のスチールボンベ起動装置は手動機械式であり、このため使用者が緊急時にピンを引き抜くのが間に合わず、気嚢を充気させられず人体保護の機能を達成できないことがあり、理想的とは言えなかった。
【０００３】
さらに、一般に周知のスチールボンベ起動装置はトリガ後、その重複使用性は高くなく、即ちトリガ後のスチールボンベを交換する時、起動装置内部に組付けられたトリガ機構或いはその他の部品、例えばスプリング、打ち針は特殊な工具を使用しなければトリガ待機状態に戻すことができず、重複使用時に極めて不便である。
【考案の開示】
【考案が解決しようとする課題】
【０００４】
本考案の主要な目的は、一種の充気装置の起動装置を提供することにあり、それは、起動装置の組立構造により重複使用の容易性を高めたものとする。
【０００５】
本考案の別の目的は、一種の充気装置の起動装置を提供することにあり、それは、使用の便利性を増して不注意から起動装置に接触して起動してしまうことによる危険を防止したものとする。
【課題を解決するための手段】
【０００６】
請求項１の考案は、スチールボンベに組付けられてスチールボンベ開口のシール口をトリガして内部ガスを釈放させるのに用いられる充気装置の起動装置であり、該起動装置は、ケース、トリガ機構、連設棒、釈放機構を具え、
該ケースの外縁にそれぞれ軸方向に平行に設置された第１固定端及び第２固定端があり、該第１固定端は上述のスチールボンベの開口に取付られ、且つ該ケース内部にそれぞれ軸方向に平行に設置された第１収容室、及び第２収容室が形成され、この第１収容室と第２収容室はそれぞれ第１固定端と第２固定端に対応し連通し、且つ第１収容室は軸方向の穿孔で第１固定端に連通し、第２収容室はその側縁に径方向に横向き穿孔が形成され、
該トリガ機構は打ち針、針打ち棒、圧縮バネ、及び回転蓋を具え、該打ち針は上述のケースの第１収容室内に収容され且つ該穿孔内にスライド自在に設けられ、該針打ち棒は上述のケースの第２収容室内にスライド自在に設けられ、該回転蓋は螺合方式で上述のケースの第２固定端に組付けられ、圧縮バネは該回転蓋内に収容され打ち針に前向きの衝撃弾力を提供し、また針打ち棒の中段環周に側方向凹溝が設けられて第２収容室の横向き穿孔に対応し、
該連設棒は中段がケースに枢設され、且つ連設棒の一端は針打ち棒の末端に当接し、もう一端は打ち針末端に当接し、
該釈放機構はケースに組付けられ、且つこの釈放機構はカム回転軸、駆動モータを具え、該カム回転軸は径方向に凹部が設けられ、このカム回転軸は第２収容室の横向き穿孔内に挿入され並びに針打ち棒の側方向凹溝に係合し、該駆動モータは該カム回転軸を駆動して回転させ、該凹部がこれにより該側方向凹溝に対応する時、カム回転軸と針打ち棒の係合が解除されて針打ち棒が釈放され、該針打ち棒が圧縮バネの提供する衝撃弾力を受けて連設棒を回転させ、連設棒の別端が打ち針に前向きの衝撃を形成させてスチールボンベの開口のシール口をトリガさせて内部ガスを釈放させることを特徴とする、充気装置の起動装置としている。
請求項２の考案は、請求項１記載の充気装置の起動装置において、駆動モータが高トルクモータとされたことを特徴とする、充気装置の起動装置としている。
請求項３の考案は、請求項１記載の充気装置の起動装置において、駆動モータにフレネル型速度センサにより起動信号が提供されることを特徴とする、充気装置の起動装置としている。
【考案の効果】
【０００７】
本考案によると、起動装置がトリガ動作を行なった後、スチールボンベを交換して重複使用でき、且つ上述の回転蓋を回して開き、それをケースの第２固定端より離脱させる。回転蓋を開く過程で、トリガ機構の打ち針、針打ち棒、及び圧縮バネが回転蓋と共に移動して離脱し、並びに第２固定端の方向に移動する。更にカム回転軸を回してそれを第２固定端に緊締すれば、トリガ機構及び全体の起動装置が再び未トリガの状態となる。ゆえに本考案は回転蓋の回転による緊締と弛緩の動作により、全体の起動装置をリセットして未使用状態となすことができ、このトリガ機構と釈放機構の改良により、起動装置の重複使用の容易性を増している。
【０００８】
このほか、本考案はカム回転軸及び駆動モータを釈放機構の制御に用いており、この駆動モータには高トルクモータを使用でき、それは瞬間的にある角度回転してカム回転軸の正確な動作性を維持でき、これにより周知のピン式のものの誤った引っ張りによる事故発生の危険がない。即ち、本考案の起動装置は使用上の便利性が増され、また不注意から起動装置が起動されることによる危険を防止できる。
【０００９】
さらに、伝統的な設計方式は、電磁弁を釈放機構の制御に使用しているが、電磁弁の出力の大きさとその体積には正比例の関係があり、このため、本考案では駆動モータを釈放機構の制御に使用し、上述の長所を達成するほか、駆動モータの体積を大幅に減少でき、且つその性能に影響を与えないようにすることができ、例えば、マイクロタイプの駆動モータを使用でき、歯車比の組合せにより出力の制御を行なうことができる。また、駆動モータは反応時間が速いという長所を有し、このため起動装置のトリガ時間を短縮でき、これにより伝統的な電磁弁の電磁減衰により形成される反応遅延の問題を防止できる。
【考案を実施するための最良の形態】
【００１０】
本考案の充気装置の起動装置はスチールボンベに組付けられ、スチールボンベ開口のシール口をトリガしてスチールボンベ内部の気体を釈放させる。本考案の起動装置はケース、トリガ機構、連設棒、及び釈放機構を具えている。
【００１１】
該ケースの外縁には軸方向に平行に設置された第１固定端及び第２固定端があり、該第１固定端は上述のスチールボンベの開口に取付られ、且つこのケース内部にそれぞれ軸方向に平行に設置された第１収容室、及び第２収容室が形成され、この第１収容室と第２収容室はそれぞれ第１固定端と第２固定端に対応し連通し、且つ第１収容室は軸方向の穿孔で第１固定端に連通し、第２収容室はその側縁に径方向に横向き穿孔が形成されている。
【００１２】
このほか、トリガ機構は打ち針、針打ち棒、圧縮バネ、及び回転蓋を具え、該打ち針は上述のケースの第１収容室内に収容され且つ該穿孔内にスライド自在に設けられ、該針打ち棒は上述のケースの第２収容室内にスライド自在に設けられ、該回転蓋は螺合方式で上述のケースの第２固定端に組付けられ、圧縮バネは該回転蓋内に収容され打ち針に前向きの衝撃弾力を提供し、また針打ち棒の中段環周に側方向凹溝が設けられて第２収容室の横向き穿孔に対応する。
【００１３】
このほか、連設棒の中段はケースに枢設され、且つ連設棒の一端は針打ち棒の末端に当接し、もう一端は打ち針末端に当接する。釈放機構はケースに組付けられ、且つこの釈放機構はカム回転軸、駆動モータを具え、そのうち、カム回転軸は径方向に凹部が設けられ、このカム回転軸は第２収容室の横向き穿孔内に挿入され並びに針打ち棒の側方向凹溝に係合する。
【００１４】
運転時には、駆動モータがカム回転軸を駆動し回転させ、並びにカム回転軸の凹部が回転して針打ち棒の側方向凹溝に対応する位置に至り、この時、カム回転軸は針打ち棒に対する係合を解除して針打ち棒を釈放し、針打ち棒が圧縮バネの提供する衝撃弾力により連設棒を押動して回転させ、並びに連設棒の別端が打ち針を押して前向きの衝撃を形成させ、これによりスチールボンベ開口のシール口をトリガし内部ガスを釈放させる。
【実施例１】
【００１５】
図１は本考案の立体分解図であり、そのうち、本考案の充気装置の起動装置はスチールボンベ１に組付けられる。図２は本考案の動作前の側面方向の断面図であり、それは前述の起動装置が、ケース２、トリガ機構３、連設棒５、及び釈放機構４を具えていることを示す。
【００１６】
図１、２、及び図３の本考案の動作前の正面方向の断面図を参照されたい。そのうち、上述のケース２はその外縁にそれぞれ軸方向に平行に設置された第１固定端２１と第２固定端２２を具え、第１固定端２１はスチールボンベ１の開口１１に設置され、且つケース２内部にそれぞれ軸方向に平行に設置された第１収容室２３、第２収容室２４が形成され且つ第１収容室２３は軸方向の穿孔２３１で第１固定端２１に連通し、第２収容室２４はその側縁に径方向に横向き穿孔２４１が形成されている。
【００１７】
このほか、トリガ機構３は打ち針３１、針打ち棒３２、圧縮バネ３３、及び回転蓋３４を具え、該打ち針３１は上述のケース２の第２収容室２３内にあって穿孔２３１内にスライド自在に設けられ、該針打ち棒３２は上述のケース２の第２収容室２４内にスライド自在に設けられ、該回転蓋３４は螺合方式で上述のケース２の第２固定端２２に組付けられ、圧縮バネ３３は該回転蓋３４内に収容され打ち針３１に前向きの衝撃弾力を提供する。本実施例では、針打ち棒３２に環凸塊３２２が形成され、それが圧縮バネ３３に当接して圧縮バネ３３の弾力を受ける。このほか、針打ち棒３２の中段環周に側方向凹溝３２１が設けられて該側方向凹溝３２１が第２収容室２４の横向き穿孔２４１に対応する。
【００１８】
また、図中、連設棒５の中段はケース２に枢設され、且つ連設棒５の一端は針打ち棒３２の末端３２０に当接し、もう一端は打ち針３１末端３１０に当接する。釈放機構４はケース２に組付けられ、且つこの釈放機構４はカム回転軸４１、駆動モータ４２を具え、そのうち、カム回転軸４１は径方向に凹部４１１が設けられ、このカム回転軸４１は第２収容室２４の横向き穿孔２４１内に挿入され並びに針打ち棒３２の側方向凹溝３２１に係合する。駆動モータ４２は本実施例では高トルクモータとされ、それは瞬間的にある角度回転し且つ一定の正確な動作性を維持する。
【００１９】
図１及び図４の本考案の動作後の側面方向の断面図、及び図５の本考案の動作後の正面方向の断面図を参照されたい。操作時には、まず押しボタンスイッチ（図示せず）で駆動モータ４２に起動信号を提供する。その後、駆動モータ４２がカム回転軸４１を駆動して瞬間的にある角度回転させてカム回転軸４１の凹部４１１を針打ち棒３２の側方向凹溝３２１に至らせ、この時、カム回転軸４１は針打ち棒３２に対する係合を解除して針打ち棒３２を釈放する。この時、針打ち棒３２は圧縮バネ３３の提供する衝撃弾力により連設棒５を押動して回転させ、並びに連設棒５の別端が打ち針３１を押して前向きの衝撃を形成させ、これによりスチールボンベ１の開口１１のシール口１０をトリガし内部ガス１２を釈放させ、これにより関係する充気作業を行なう。
【００２０】
図１、及び図６の本考案の重複使用を示す断面図を参照されたい。起動装置がトリガ動作を行なった後、スチールボンベ１を交換し、且つトリガ機構３の回転蓋３４を回してケース２の第２固定端２２より取り外すことができ、その回転蓋３４を開く過程で、打ち針３１が復位バネ３１１により回復力を与えられて復位し、トリガ機構３の針打ち棒３２及び圧縮バネ３３が回転蓋３４に伴い離脱し、並びに第２固定端２２の方向に向けて移動する。注意すべきは、この移動の過程で、第２収容室２４の横向き穿孔２４１内に挿入されたカム回転軸４１を回してそれを再度針打ち棒３２の側方向凹溝３２１に係合させることができ、その後、さらに回転蓋３４を第２固定端２２に締めつければ、トリガ機構３が未トリガ状態となり、ゆえに上述の回転蓋３４の回転による弛緩、及び緊締の動作により、全体の起動装置をリセットして未使用の状態にリセットでき、即ち、トリガ機構３と釈放機構４の改良により、起動装置の重複使用の容易性が増されていることである。
【００２１】
このほか、本実施例では、カム回転軸４１と駆動モータ４２を使用して釈放機構４の制御を行ない、且つ駆動モータ４２は高トルクモータとされ、それが瞬間的にある角度回転し、即ちカム回転軸４１の正確な動作を維持し、また、駆動モータ４２は押しボタンスイッチの操作を受けその起動信号を提供し、ゆえに上述の設計は周知のピン式の誤った引き抜きによる事故を防止でき、即ち本考案の起動装置は使用上の便利性が増されて、不注意による起動装置への接触による危険を防止できる。上述の駆動モータ４２はＲＦ受信器、加速度センサ、或いはフレネル型速度センサを使用してその起動信号を提供することも可能である。
【図面の簡単な説明】
【００２２】
【図１】本考案の立体分解図である。
【図２】本考案の動作前の側面方向の断面図である。
【図３】本考案の本考案の動作前の正面方向の断面図である。
【図４】本考案の動作後の側面方向の断面図である。
【図５】本考案の動作後の正面方向の断面図である。
【図６】本考案の重複使用を示す断面図である。
【符号の説明】
【００２３】
１  スチールボンベ        １０  シール口          １１  開口
１２  内部ガス            ２  ケース              ２１  第１固定端
２２  第２固定端          ２３  第１収容室        ２３１  穿孔
２４  第２収容室          ２４１  横向き穿孔      ３  トリガ機構
３１  打ち針              ３１０  末端            ３１１  復位バネ
３２２  環凸塊            ３３  圧縮バネ          ３４  回転蓋
４  釈放機構              ４１  カム回転軸        ４１１  凹部
４２  駆動モータ          ５  連設棒
【図１】
0003105796.tif 000003
【図２】
0003105796.tif 000004
【図３】
0003105796.tif 000005
【図４】
0003105796.tif 000006
【図５】
0003105796.tif 000007
【図６】
0003105796.tif 000008